(57)【要約】  本開示は、オーディオプレーヤ・スピーカシステムに関し、特に無線オーディオプレーヤ・スピーカシステムに関する。特に、本開示は、外部メディア装置を無線で充電するための無線充電要素を含む、外部音源からの音声を再生するための携帯型の充電式無線ブームボックス形式のオーディオプレーヤに関する。
2015510309.tif 000002
【特許請求の範囲】
【請求項１】
少なくともステレオサウンド用に構成される複数のスピーカと、
外部メディア装置から音声データを受信するための通信モジュールと、
前記通信モジュールからの前記音声データに基づいて前記複数のスピーカで音声を再生させるように指示するコントローラと、
前記外部メディア装置を無線で充電するための無線充電要素と
を備える音声再生装置。
【請求項２】
前記無線充電要素が誘導充電要素である請求項１に記載の音声再生装置。
【請求項３】
前記誘導充電要素は、前記外部メディア装置を無線で充電すると同時に前記外部メディア装置から音声データを受信する請求項２に記載の音声再生装置。
【請求項４】
外部装置を充電するようになっている充電ポートを更に備える請求項１に記載の音声再生装置。
【請求項５】
前記充電ポートがＵＳＢポートである請求項４に記載の音声再生装置。
【請求項６】
ビデオディスプレイを更に備える請求項２に記載の音声再生装置。
【請求項７】
前記通信モジュールが短距離無線通信モジュールである請求項２に記載の音声再生装置。
【請求項８】
前記通信モジュールがブルートゥース技術を使用する請求項７に記載の音声再生装置。
【請求項９】
マイクロホンを更に備える請求項８に記載の音声再生装置。
【請求項１０】
前記装置がスピーカフォンとして使用されるようになっている請求項９に記載の音声再生装置。
【請求項１１】
前記外部メディア装置がポータブルメディアプレーヤである請求項２に記載の音声再生装置。
【請求項１２】
前記外部メディア装置がスマートフォンである請求項２に記載の音声再生装置。
【請求項１３】
前記外部メディア装置がタブレットコンピュータである請求項２に記載の音声再生装置。
【請求項１４】
前記外部メディア装置がパーソナルコンピュータである請求項２に記載の音声再生装置。
【請求項１５】
サブウーファチャンネルを更に備える請求項２に記載の音声再生装置。
【請求項１６】
前記装置が携帯型である請求項２に記載の音声再生装置。
【発明の詳細な説明】
【技術分野】
【０００１】
関連出願の相互参照
本出願は、その内容が参照することにより全体的に本出願に組み入れられる２０１２年１月９日に出願された米国仮特許出願第６１／５８４，６０９号の優先権を主張する。
【０００２】
また、本出願に記載される発明は、以下のうちの１つ以上に記載される主題と組み合わせてあるいは関連してあるいはその他の方法で使用することもできる。
２０１２年１月９日に出願された米国仮特許出願６１／５８４，６０５の優先権を主張する代理人整理番号Ｐ２３１２６０．ＵＳ．０２の「ＷＩＲＥＬＥＳＳ  ＡＵＤＩＯ  ＰＬＡＹＥＲ  ＡＮＤ  ＳＰＥＡＫＥＲ  ＳＹＳＴＥＭ」と題される２０１３年１月９日に出願された米国特許出願第１３／７３７，１７２号、および、
２０１２年１月９日に出願された米国仮出願６１／５８４，５９６の優先権を主張する代理人整理番号Ｐ２３１２６１．ＵＳ．０２の「ＡＵＤＩＯ  ＳＰＥＡＫＥＲ  ＦＲＡＭＥ  ＦＯＲ  ＭＵＬＴＩＭＥＤＩＡ  ＤＥＶＩＣＥ」と題される２０１３年１月９日に出願された米国特許出願第１３／７３７，２４１号。
【０００３】
これらの文書のそれぞれおよび全ては、あたかも本明細書中に完全に記載されたかのように参照することにより本出願に組み入れられる。
【０００４】
本開示はオーディオプレーヤ・スピーカシステムに関し、特に無線オーディオプレーヤ・スピーカシステムに関する。特に、本開示は外部メディア装置を無線で充電するための無線充電要素を含む、外部音源からの音声を再生するための携帯型の充電式無線ブームボックス形式のオーディオプレーヤに関する。
【発明の概要】
【０００５】
複数の実施形態が開示されるが、本開示の更なる他の実施形態は本開示の例示的な実施形態を示して説明する以下の詳細な説明から当業者に明らかとなる。気付くように、本開示の様々な実施形態は、本開示の思想および範囲から完全に逸脱することなく様々な自明の態様で変更できる。したがって図面および詳細な説明は、本質的に例示であると見なされるべきであり、限定的であると見なされるべきでない。
【０００６】
本明細書は、本開示の様々な実施形態を形成すると見なされる主題を特に指摘して明確に主張する特許請求の範囲で締めくくるが、添付の図に関連して解釈される以下の説明から実施形態をより良く理解できると思われる。
【図面の簡単な説明】
【０００７】
【図１】本開示の一実施形態に係るオーディオプレーヤ・スピーカシステムの斜視図である。
【図２】本開示の一実施形態に係るオーディオプレーヤ・スピーカシステムの概略図である。
【図３】本開示の一実施形態に係るオーディオプレーヤ・スピーカシステムのリヤパネル図である。
【図４】本開示の一実施形態に係るオーディオプレーヤ・スピーカシステムのトップパネル図である。
【図５】本開示の一実施形態に係るオーディオプレーヤ・スピーカシステムのサイドパネル図である。
【図６ａ】図６ａは、本開示の幾つかの実施形態に係るオーディオプレーヤ・スピーカシステムのフロント制御パネル図である。
【図６ｂ】図６ｂは、本開示の幾つかの実施形態に係るオーディオプレーヤ・スピーカシステムのフロント制御パネル図である。
【図７ａ】本開示の一実施形態に係るオーディオプレーヤ・スピーカシステムのための音源選択制御器の一例である。
【図７ｂ】本開示の一実施形態に係るオーディオプレーヤ・スピーカシステムのための音質制御器の一例である。
【図８】本開示の一実施形態に係るオーディオプレーヤ・スピーカシステムの幾つかの概略図を含む。
【図９】本開示の別の実施形態に係る、ビデオディスプレイスクリーンを有するオーディオプレーヤ・スピーカシステムのサイドパネル図である。
【発明を実施するための形態】
【０００８】
本開示は新規で有利なオーディオプレーヤ・スピーカシステムに関し、特に、無線オーディオプレーヤ・スピーカシステムに関する。特に本開示は、外部メディア装置を無線で充電するための無線充電要素を含む、外部音源に限定されないが外部音源からの音声を再生するための新規で有利な携帯型の充電式無線ブームボックス形式のオーディオプレーヤに関する。
【０００９】
一般に、本開示のオーディオプレーヤ・スピーカシステムは１つ以上のスピーカを含んでもよく、また、有線接続および／または無線接続によってラジオ受信器などの内部音源、あるいはポータブルメディアプレーヤまたは外部メディアプレーヤなどの外部音源から音声を受信して再生するように構成されてもよい。ポータブルメディアプレーヤまたは外部メディアプレーヤは、当業者により認識されるように、例えばｉＰｏｄまたは同様の装置、携帯電話またはスマートフォン装置、タブレットＰＣなどに限定されないがこれらの音声再生装置を含む任意のタイプのメディア再生装置を含んでもよい。オーディオプレーヤ・スピーカシステムは、外部電源に接続されてもよく、および／または幾つかの実施形態では、例えば外部電源を介して充電可能であってもよいバッテリーを含んでもよい。また、オーディオプレーヤ・スピーカシステムはポータブル外部メディアプレーヤまたは他の外部装置を無線で充電するように構成されてもよい。これに関して、オーディオプレーヤ・スピーカシステムの実施形態は、真に無線音声再生および充電のために構成されてもよい。オーディオプレーヤ・スピーカシステムが屋内および屋外で使用するように構成されてもよい。
【００１０】
図１および図８は、本開示のオーディオプレーヤ・スピーカシステム１００の一実施形態を示す。オーディオプレーヤ・スピーカシステム１００は、例えばそれぞれが任意の数の鋭利であってもよい角または縁、あるいはより滑らかな丸みのある角または縁を有する、直方体または直角プリズムなどの立方体、多角形、三角形、球、あるいは、半球に限定されないが、これらなどの任意の適した形状に構成されるハウジングであってもよく、あるいは該ハウジングを含んでもよい。図示のようにまた、一実施形態によれば、オーディオプレーヤ・スピーカシステム１００は、それぞれの辺が一般に同じ寸法であり且つ一般に滑らかなあるいは丸みのある角および縁を含む略立方体形状に構成されてもよい。幾つかの実施形態において、オーディオプレーヤ・スピーカシステム１００は防水構造材料および防水方法を使用して製造されてもよい。これに関してオーディオプレーヤ・スピーカシステム１００が屋内使用または屋外使用に適してもよい。
【００１１】
図２に示されるようにオーディオプレーヤ・スピーカシステム１００は、幾つかの実施形態では１つ以上のバッテリーであってもよい内部電源２０２を含んでもよい。更なる実施形態では内部電源２０２が１つ以上の充電式バッテリーであってもよい。オーディオプレーヤ・スピーカシステム１００は、動作機能のためにおよびあるいは代わりに、内部電源を充電するために、ＡＣ電源などの外部電源２０４に対して取り外し可能に接続されてもよい。オーディオプレーヤ・スピーカシステム１００のバックパネル３０２を示す図３に例示されるように、取り外し可能に接続できる外部電源アダプタを介してオーディオプレーヤ・スピーカシステムを外部電源に対して取り外し可能に接続するために、ＤＣ電源ジャックに限定されないがＤＣ電源ジャックなどの電源アダプタポート３０４が設けられてもよい。更なる他の実施形態では、電源コードまたは電源アダプタがオーディオプレーヤ・スピーカシステム１００と恒久的にあるいは一体に接続されてもよく、電源コードまたは電源アダプタの反対側の端部は、ＡＣ電源などの外部電源に接続されてもよい。
【００１２】
幾つかの実施形態においてオーディオプレーヤ・スピーカシステム１００は、ポータブルメディアプレーヤ、携帯電話、または、スマートフォン等に限定されないがこれらの外部装置を充電するための充電ポート２０６を含んでもよい。幾つかの実施形態では、図２および図３において分かるように充電ポート２０６が雌ＵＳＢポートなどのＵＳＢポートであってもよく、該ＵＳＢポートには、外部装置がＵＳＢコネクタコードを介して取り外し可能に接続されてもよい。幾つかの実施形態では、そのように限定されないが、オーディオプレーヤ・スピーカシステムは、外部電源に接続されるときにはオーディオプレーヤ・スピーカシステムがバッテリー電源のみで作動しているときよりも高いアンペア数の電流を、充電ポート２０６を介して接続された外部装置へ供給できるように構成されてもよい。更なるあるいは代わりの実施形態において外部装置用の充電ポートは、前述した取り外し可能に接続できる外部電源アダプタなどの外部電源アダプタに設けられてもよい。
【００１３】
幾つかの実施形態においてＵＳＢポートなどの充電ポート２０６は、ファームウェア更新またはアップグレードを受信して受け入れるように更に構成されてもよい。他の実施形態では、望ましい場合にはファームウェア更新またはアップグレードのために別個のポート２０８が使用されてもよい。
【００１４】
更なるあるいは代わりの実施形態においてオーディオプレーヤ・スピーカシステム１００は、外部装置が無線充電できる能力を含む、あるいは無線充電できる能力を伴って構成されるアダプタに接続される場合には、外部装置を無線充電するように構成されてもよい。例えばオーディオプレーヤ・スピーカシステム１００は、例えば誘導充電要素または誘導充電システム２１０等を介して無線誘導充電できる能力を含んでもよい。例えばオーディオプレーヤ・スピーカシステム１００は、誘導充電するのに適した任意のシステム、または、ＰｏｗｅｒｍａｔによるＰｏｗｅｒｍａｔ、ＥｎｅｒｇｉｚｅｒによるＱｉ、ＴＤＫによって開発される誘導充電システムなどに限定されないがこれらを誘導充電するためのシステムから適合される任意の適したシステムを含んでもよい。誘導充電要素２１０はオーディオプレーヤ・スピーカシステム１００の任意の適した位置に設けられてもよい。しかしながら一実施形態では、オーディオプレーヤ・スピーカシステム１００のトップパネル４０２を示す図４に例示されるように、誘導充電要素２１０がトップパネルに設けられてもよい。誘導充電要素２１０は、誘導充電要素２１０の機能的動作のために必要とされる最小の大きさの空間からトップパネルのほぼ全体に至るまで、トップパネル４０２の任意の大きさの所望の空間を占めてもよい。幾つかの実施形態では、誘導充電要素２１０の送信コイルが該送信コイルの中心がトップパネルの両縁からほぼ等距離にあるようにトップパネル４０２上にほぼ中心付けられてもよい。しかしながら、誘導充電要素の送信コイルがトップパネルの任意の適した位置に設けられてもよいことが認識される。送信コイルは、該コイルの中心に位置されてもよい位置合わせ磁石を含んでもよい。これに加えてあるいはこれに代えて、トップパネル４０２は、位置合わせ磁石を有していない装置を充電するために、外部装置と誘導充電要素２１０の送信コイルとのユーザの位置合わせを容易にし得る位置指標をその表面上に含んでもよい。例えば、当業者によって認識されるような任意の他の構成要素、例えばこれらに限定されないが送信コイルにより形成される磁場を抑制するためのフェライト材料、発生される熱を放散するための１つ以上のヒートシンクなどが、誘導充電要素と共に含まれてもよい。
【００１５】
幾つかの実施形態では、例えばこれに限定されないがオーディオプレーヤ・スピーカシステム１００の電力消費量を制限するために、誘導充電能力をユーザが利用できる可能性が制限されてもよい。例えば、オーディオプレーヤ・スピーカシステム１００が外部ＡＣ電源などの外部電源に接続されるときには、オーディオプレーヤ・スピーカシステムが電源「ＯＮ」状態または電源「ＯＦＦ」状態にあるときを含めて、誘導充電能力をほぼ連続的に利用できてもよい。一方、例えばオーディオプレーヤ・スピーカシステム１００がバッテリー電源のみから動作しているときには、誘導充電能力は、オーディオプレーヤ・スピーカシステム１００が電源「ＯＮ」状態にあるときに制限されてもよく、または、オーディオプレーヤ・スピーカシステム１００が電源「ＯＮ」であろうと、あるいは電源「ＯＦＦ」であろうと利用できなくてもよい。無論、誘導充電能力がオーディオプレーヤ・スピーカシステム１００の電源状態に基づかないおよび／または誘導充電能力がオーディオプレーヤ・スピーカシステムの任意の他の特性または状態に基づくバリエーションを含めて、誘導充電能力をユーザが利用できるときの任意のバリエーションが本開示の思想および範囲の中で考慮されることが認識される。
【００１６】
図２および図３に戻って参照すると、オーディオプレーヤ・スピーカサウンドシステム１００は、外部メディアプレーヤと動作可能に接続してそこから音声入力などのメディア入力を受信して再生するための補助ポートまたはライン入力ポート２１２を更に含んでもよい。一実施形態では補助ポート２１２が標準的な３．５ｍｍステレオジャックであってもよいが、任意の他の適したタイプのポートが利用されてもよい。
【００１７】
更なるあるいは代わりの実施形態において、オーディオプレーヤ・スピーカシステム１００は、例えばこれに限定されないが、短距離無線通信によって無線メディアまたは音声信号を受信できる能力を伴って構成されてもよい。適した短距離無線通信技術の１つの例はブルートゥース技術として知られる。一般にブルートゥース技術は、比較的簡単で安全な短距離無線通信技術である。ブルートゥース技術は、今では、携帯電話、コンピュータ、および他の製品を含む様々な装置で利用できる。ブルートゥース仕様は、装置が互いと接続して通信するための統一された構造を規定する。２つのブルートゥース使用可能装置が互いに接続するときには、これが「ペアリング」と称される。例えばブルートゥースペアリングは、互いと通信する２つのブルートゥース使用可能装置を含んでもよく、また、ブルートゥース通信のための接続を確立してもよい。ブルートゥース装置をペアリングするためにパスワードまたはパスキーがやりとりされてもよく、あるいは、装置（または装置のユーザ）が装置間のブルートゥースペアリングに同意したことを定めるコードが両方のブルートゥース装置によって共有されてもよい。必要に応じて、高度認証が使用されてもよい。
【００１８】
これに関して一実施形態では、オーディオプレーヤ・スピーカシステム１００は、ブルートゥース能力を有する外部メディア源または装置からメディアデータまたは音声データを受信するために内部ブルートゥース受信モジュール２１４およびアンテナ２１６を含んでもよい。ブルートゥース受信モジュール２１４は、当業者により理解されるように、例えばセキュアシンプルペアリング（「ＳＳＰ」）を介して外部メディア装置とのブルートゥースペアリングを実行するように構成されてもよい。したがって、オーディオプレーヤ・スピーカシステム１００がブルートゥースペアリングモードを含んでもよく、該モードを介してブルートゥース受信モジュール２１４と外部メディア装置との間のペアリングが達成されてもよい。装置がペアリングされると、装置は両方の装置が電源「ＯＮ」のときにブルートゥース使用可能状態で自動的に接続されてもよく、また、ブルートゥース範囲内にある。幾つかの実施形態においてオーディオプレーヤ・スピーカシステム１００は、それとペアリングされた隣接するブルートゥース使用可能装置を監視できるとともにペアリングされた装置が完全に範囲内にあるときに自動的に電源を「ＯＮ」できる待機モードを含んでもよい。ペアリングされた装置がオーディオを送信している幾つかの実施形態においてオーディオプレーヤ・スピーカシステムは、ブルートゥース接続を介して隣接する装置から受信される再生を自動的に開始してもよい。
【００１９】
更なるあるいは代わりの実施形態においてオーディオプレーヤ・スピーカシステム１００は、ＦＭラジオおよび／またはＡＭラジオ２１８などのラジオ機能を含んでもよい。オーディオプレーヤ・スピーカシステム１００は、幾つかの実施形態では、ラジオ機能のための内部アンテナを含んでもよい。しかしながら他の実施形態において、オーディオプレーヤ・スピーカシステム１００は、付属外部アンテナ、または外部アンテナ２２０と接続するためのポートを含んでもよい。
【００２０】
オーディオプレーヤ・スピーカシステム１００は、任意の数、タイプ、サイズおよび配置のスピーカを含んでもよく、該スピーカにより外部音源（補助ポート２１２を介してあるいはブルートゥースを介して）または内部音源（例えばＦＭラジオ）から受信される音声を再生して、特定のサウンドイメージを得る。必要とされないが、一実施形態では、オーディオプレーヤ・スピーカシステム１００は少なくとも、左チャンネル、右チャンネル、および、随意的にサブウーファチャンネルを有するステレオサウンドのために構成されてもよい。他の実施形態においてシステムは、複数のサウンドチャンネルおよび１つ以上のサブウーファチャンネルのために構成され得る。図１〜図６ｂに示される一実施形態においてオーディオプレーヤ・スピーカシステム１００は、該オーディオプレーヤ・スピーカシステムのそれぞれの上方の角１０２にあるいはその近傍に１つずつ、４つのスピーカ／トランスデューサ／ドライバ２２２を含んでもよい。図示のように、スピーカ２２２は任意の適したサイズであってもよいが、一実施形態ではスピーカ２２２の直径が約１．５インチであってもよい。スピーカ２２２は任意のレンジにわたって利用されてもよい。しかしながら一実施形態では、スピーカ２２２が全周波数レンジ用にあるいは比較的高い周波数レンジ用に構成されてもよい。幾つかの実施形態において、スピーカ２２２はそれぞれ、それ自体のほぼ密閉された筐体内で音響的に独立するように構成されてもよい。また幾つかの実施形態では、各スピーカ２２２の筐体が受動ラジエータを更に含んでもよい。
【００２１】
幾つかの実施形態においてオーディオプレーヤ・スピーカシステム１００は、該オーディオプレーヤ・スピーカシステムの底部付近に位置されてもよく且つ通気式筐体内に装着されてもよい大型スピーカ／トランスデューサ／ドライバ２２４を含んでもよい。一実施形態では、スピーカ２２４の直径が約４インチであってもよいが、他のサイズが確かに適している。幾つかの実施形態ではスピーカ２２４がサブウーファとして利用されてもよい。
【００２２】
更なるあるいは代わりの実施形態においてオーディオプレーヤ・スピーカシステム１００は、例えばその側面のうちの１つ以上に位置される１つ以上の受動ラジエータを含んでもよい。例えばオーディオプレーヤ・スピーカシステム１００は、その左側面に１つ以上の受動ラジエータを含むとともに、その右側面に１つ以上の受動ラジエータを含んでもよい。前述したように特定のスピーカ配置が論じられてきたが、任意の数、タイプ、サイズおよび配置のスピーカが望み通りに利用されてもよいことが認識される。同様に、スピーカまたは受動ラジエータのいずれかがグリルカバーを含んでもよい。システムは、所望のサウンドイメージを形成するために任意の適した数の音声反射ポート／チューブ３０６を含んでもよい。
【００２３】
スピーカは、任意の適した数の音声増幅器２２６を利用して駆動されてもよい。一実施形態では、スピーカ２２２，２２４と共同して、増幅器２２６は、４つのフルレンジチャンネルまたは高レンジチャンネルとサブウーファチャンネルとを与えるように構成されてもよい。しかしながら、用途にとって望ましいようにスピーカおよび増幅器が任意の適した形態で使用されてもよいことが認識される。
【００２４】
図２を参照すると、オーディオプレーヤ・スピーカシステム１００は、オーディオプレーヤ・スピーカシステム１００の機能を制御するためのコントローラ２２８を含んでもよい。コントローラ２２８は、マイクロプロセッサであってもよく、あるいはハードウェアまたは電気回路部品および／またはソフトウェアまたはソフトウェアモジュールの任意の他の適した組み合わせであってもよい。特定の機能を果たすようにコントローラ２２８に指示するために、コントローラとインタフェースをとるためのユーザインタフェースまたは１つ以上の制御器が設けられてもよい。
【００２５】
１つ以上の制御器を有するインタフェースの２つの例が図６ａおよび図６ｂに示される。しかしながら、任意の適したインタフェースおよび／または制御器の組み合わせが利用されてもよく、また図に示されるインタフェースが、本開示の幾つかの実施形態の説明に役立つための単なる例示目的であって、限定するように意図されないことが認識される。例えば、図６ａおよび図６ｂから分かるように、オーディオプレーヤ・スピーカシステム１００のフロントパネル６０２は、ユーザがオーディオプレーヤ・スピーカシステムと相互作用できるようにするインタフェースを与えるボタン、ダイヤル、スイッチなどのような１つ以上の制御器を備えてもよい。
【００２６】
図２に示されるように、オーディオプレーヤ・スピーカシステム１００は、例えばオーディオプレーヤ・スピーカシステムを電源「ＯＮ」および「ＯＦＦ」するための電源ボタン２３０または他の制御機構を含んでもよい。オーディオプレーヤ・スピーカシステム１００はまた、音量レベルを制御するための音量制御機構２３２を含んでもよい。一実施形態では音量制御機構が音量制御ダイヤルであってもよく、音量制御ダイヤルの回転により音量が変わる。図６ａに示されるように、電源ボタン２３０と音量制御ダイヤル２３２とが同じ制御機構であってもよい。しかしながら他の実施形態では、電源制御と音量制御とを別個にすることができる。望まれるように任意の適した数の音量レベルが存在してもよい。１つの非限定的な実施形態では、例えば３２個以上の別個の音量レベル、より好ましくは６４個以上の別個の音量レベルが存在してもよい。各レベルの音量ステップサイズが均一である必要はない。別の非限定的な実施形態では、例えば０％（消音）、１０％、２０％、３０％、４０％、５０％、６０％、７０％、８０％、９０％、１００％の約１１個の音量レベルまたはその任意の変形などが存在してもよい。
【００２７】
また、例えば図２および図６ａにも示されるように、オーディオプレーヤ・スピーカシステム１００は、オーディオプレーヤ・スピーカシステムがそこから音声を受信して再生すべき音源をユーザが選択するための、音源選択押しボタンまたは制御ダイヤルなどに限定されないが、これらの音源選択制御器２３４を含んでもよい。音源選択押しボタンとしての音源選択制御器２３４の一実施形態の詳細な拡大図が図７ａに示される。ユーザは、例えば、音源選択押しボタンを押して２つ以上の音源７０２の間で切り換えることによって音源を選択してもよい。前述したように、オーディオプレーヤ・スピーカシステム１００の一実施形態において音声は、補助ポート２１２を介して外部メディア装置から、ブルートゥース通信に限定されないがブルートゥース通信などの無線通信を介して外部メディア装置から、および／または、ＦＭラジオなどのラジオ送信から受信されて再生されてもよい。したがって、一実施形態において音源選択制御器２３４は、補助ポート２１２から受信される音声、ブルートゥース通信を介して受信される音声、および、ＦＭラジオから受信される音声の間を切り換えるために使用されてもよい。幾つかの実施形態では、外部装置がブルートゥース使用可能であるが依然としてオーディオプレーヤ・スピーカシステム１００とペアリングされていなかった場合に、音源選択制御器を使用してペアリングモードを開始してもよい。別の実施形態においてオーディオプレーヤ・スピーカシステム１００は、ブルートゥースペアリングモードを開始するための別個の制御機構を有してもよい。
【００２８】
オーディオプレーヤ・スピーカシステム１００のための音源選択としてＦＭラジオが設けられる一実施形態では、チューナーに限定されないがチューナーなどの更なるラジオ制御器がオーディオプレーヤ・スピーカシステムの任意の適した位置に設けられてもよい。他の実施形態では、前述した音量ダイヤルに限定されないが音量ダイヤルなどの既存の制御機構によって基本的な同調機能が与えられてもよい。ハードウェアおよび／またはソフトウェアにおいては、既存の制御機構（例えば、音量ダイヤル）をその当初の機能（例えば、音量制御）とラジオチューナーとの間で切り換えるためにトグル機構が設けられてもよい。更なるあるいは代わりの実施形態では、オーディオプレーヤ・スピーカシステム１００がそれを介して通信してラジオ制御を行ってもよいスマートフォンに限定されないが、スマートフォンなどの外部メディア装置へユーザがダウンロードするために、しばしば「ａｐｐ」と称されるモバイルアプリケーションが設けられてもよい。またａｐｐは、オーディオプレーヤ・スピーカシステム１００の電源制御器、音量制御器、音源選択、スピーカ／音質設定（後述する）等に限定されないがこれらの任意の他の適した制御機構に対して遠隔制御機能を与えてもよい。
【００２９】
また、例えば図２および図６ａにも示されるように、オーディオプレーヤ・スピーカシステム１００は、ユーザがサウンドプロファイル／スピーカ設定間を選択する、および／またはサウンド／音質特性を調整するために、スピーカ／音質設定押しボタンまたは制御ダイヤルに限定されないがこれらのスピーカ／音質設定制御器２３６を含んでもよい。スピーカ／音質設定押しボタンとしてのスピーカ／音質設定制御器２３６の一実施形態の詳細な拡大図が図７ｂに示される。ユーザは例えば、スピーカ／音質設定押しボタンを押してサウンドプロファイル／スピーカ設定および／または調整可能サウンド特性７０４間を切り換えることにより、サウンドプロファイル／スピーカ設定および／または調整可能サウンド特性間で選択してもよい。
【００３０】
スピーカ／音質設定制御器２３６を使用する例えば図７ｂに示される１つの非限定的な実施形態においてユーザは、第１のサウンドプロファイル（図７ｂでは「３Ｄ」のラベルが付される）および第２のサウンドプロファイル（図７ｂでは「ＨＤ」のラベルが付される）などの複数のサウンドプロファイル間で選択できてもよい。第１のサウンドプロファイルは、例えばこれに限定されないが、全てのフルレンジスピーカ２２２が駆動される第１のスピーカ設定に関連してもよく、また、第２のサウンドプロファイルは、例えばこれに限定されないが、フルレンジスピーカ２２２のうちの一部だけが駆動されるスピーカ設定に関連してもよい。無論、任意の適した数のサウンドプロファイルが与えられてもよく、また各プロファイルは、例えばこれに限定されないが、スピーカの一部または全部が駆動されて他のスピーカが駆動されない、あるいは低電力で駆動されるスピーカ設定、あるいは、スピーカがモノサウンドとステレオサウンドとの間で切り換えられるスピーカ設定など、任意の適したスピーカ設定に関連してもよい。
【００３１】
同様に、スピーカ／音質設定制御器２３６を使用する、例えば図７ｂに示される１つの非限定的な実施形態においてユーザは、調整可能サウンド特性間で選択できてもよい。例えばユーザは、高音域および低音域調整、フェイド調整等の間で選択できてもよい。調整可能サウンド特性が選択された時点で、選択されたサウンド特性のレベルを調整するために更なる制御機構が利用されてもよい。一実施形態では、選択されたサウンド特性のレベルを調整するために前述した音量制御ダイヤルなどの既存の制御機構が利用されてもよい。
【００３２】
オーディオプレーヤ・スピーカシステム１００はまた、情報をユーザに与えるための１つ以上の視覚表示器２３８を含んでもよい。視覚表示器２３８は、１つ以上のＬＥＤ２４０、１つ以上のＬＣＤディスプレイ６０４（図６ｂ参照）等によるなど、任意の適した手段によって与えられてもよい。そのような視覚表示器２３８は、これらに限定されないが、以下のうちのいずれかあるいは全てを含んでもよい。
【００３３】
バッテリー電源表示器：バッテリー電源表示器は、バッテリー電源のレベルまたはバッテリー電力が所定のレベル未満に降下する時期を表示するために設けられてもよい。一例示的実施形態において表示器は、バッテリー電力が所定のレベル未満に降下するときに点灯するか、および／または点滅する単一のＬＥＤを含んでもよい。しかしながら、他の適した形態の視覚表示器も本開示の思想および範囲内に入る。
【００３４】
誘導充電表示器：表示器は、装置が誘導充電要素上に配置された時期および／または装置が能動的に充電している時期を表示するために設けられてもよい。一実施形態において表示器は、装置が誘導充電要素上に配置されたとき、および／または装置が能動的に充電しているときに点灯するか、および／または点滅する単一のＬＥＤを含んでもよい。しかしながら、他の適した形態の視覚表示器も本開示の思想および範囲内に入る。
【００３５】
音量レベル表示器：表示器は、オーディオプレーヤ・スピーカシステムの音量レベルを表示するために設けられてもよい。一例示的実施形態では、表示器が１列に並べられた複数のＬＥＤを含んでもよく、これらのＬＥＤは、点灯されるＬＥＤの数によって音量レベルを表示する。更なる実施形態において１列に並べられた複数のＬＥＤは、円または半円の形態６０６を成して並べられてもよく、また、前述した音量制御ダイヤルの近傍またはその周囲に位置されてもよい。しかしながら、他の適した形態の視覚表示器も本開示の思想および範囲内に入る。
【００３６】
ブルートゥース表示器：表示器は、例えばこれらに限定されないが、ブルートゥース使用可能な外部メディア装置が隣接しているか、ペアリングされるか、および／または、接続されるかどうかなどのブルートゥース状態情報を与えてもよい。一例示的実施形態では、表示器が１つのあるいは一連のＬＥＤを含んでもよい。しかしながら、他の適した形態の視覚表示器も本開示の思想および範囲内に入る。
【００３７】
音源表示器：表示器は、例えば音源選択制御器によって選択された音源を表示するために設けられてもよい。一実施形態において、表示器は、例えば図７ａに示されるように選択された音源を特定する１つ以上のＬＥＤを含んでもよい。しかしながら、他の適した形態の視覚表示器も本開示の思想および範囲内に入る。
【００３８】
スピーカ／音質設定表示器：表示器は、選択されたスピーカ／音質設定および／または調整のために選択された調整可能サウンド特性を表示するために設けられてもよい。一例示的実施形態において表示器は、例えば図７ａに示されるように、選択された設定または調整可能サウンド特性を特定する１つ以上のＬＥＤを含んでもよい。特定のサウンド特性を調整するために音量ダイヤルが使用されてもよい前述したような更なる実施形態において、音量表示器はまた、調整されているサウンド特性用のレベル表示器として使用されてもよい。他の実施形態では、別個のレベル表示器が利用されてもよい。しかしながら、他の適した形態の視覚表示器も本開示の思想および範囲内に入る。
【００３９】
他の実施形態では、前述した視覚表示器に加えてあるいは代えて、前述した情報のいずれかのための表示器を与えるべく、触覚フィードバックまたは音声フィードバックなどに限定されないがこれらの他のタイプのフィードバックが望まれるように使用されてもよい。
【００４０】
一実施形態において、オーディオプレーヤ・スピーカシステム１００は、当業者によって理解されるように、前述した機能または他の機能のうちの１つ以上を遠隔的に制御するための遠隔制御器を含んでもよい。したがってオーディオプレーヤ・スピーカシステム１００は、遠隔制御器から信号を受けるために、赤外線受信器に限定されないが赤外線受信器などの無線受信器を更に含んでもよい。
【００４１】
更なる実施形態において、オーディオプレーヤ・スピーカシステムは（例えば有線であるいは無線で）接続された携帯電話またはスマートフォンのためのハンズフリー通話能力を含むことができる。例えば、オーディオプレーヤ・スピーカシステム１００は、スピーカに加えてマイクロホンを更に含んでもよく、したがって、ユーザは、オーディオプレーヤ・スピーカシステムをハンズフリースピーカフォンとして利用してもよい。更なる他の実施形態においてオーディオプレーヤ・スピーカシステムは、これらに限定されないが、音声ダイヤル回し、音声文章書き、文章復唱、接続された装置により与えられる他のハンズフリー機能などの更なるハンズフリー機能を伴って構成され得る。
【００４２】
本明細書中に記載されるオーディオプレーヤ・スピーカシステムの１つの利点は、幾つかの実施形態においてこれらのシステムが真に無線動作を可能にし、そのためドッキングまたはドッキングステーションが不要であるという点である。前述したように、オーディオプレーヤ・スピーカシステムは、幾つかの実施形態では、スマートフォンに限定されないがスマートフォンなどの外部メディア装置から音声を無線で受信してもよく、また同時に外部メディア装置を無線で充電してもよい。幾つかの実施形態において、オーディオプレーヤ・スピーカシステムは更に、充電式バッテリーなどの１つ以上のバッテリー上で無線で動作してもよい。
【００４３】
図４に示されるような幾つかの実施形態では、オーディオプレーヤ・スピーカシステム１００が一体のハンドル４０４を含んでもよい。一体のハンドル４０４により、オーディオプレーヤ・スピーカシステム１００を更に都合良く持ち運びできるようになる。
【００４４】
幾つかの実施形態において、誘導充電機能の使用は、オーディオプレーヤ・スピーカシステムの他の機能に悪影響を与えないようにあるいは僅かしか悪影響を与えないように設定されるのが望ましい。例えば幾つかの実施形態において、誘導充電機能の使用は、これらに限定されないが、ＦＭ感度、音声ノイズ、音声周波数応答、音声信号対雑音比、および／または、ブルートゥース感度などに悪影響を与えないようにあるいは僅かしか悪影響を与えないように設定されるのが望ましい。
【００４５】
幾つかの実施形態においてシステムは、音声能力に加えてビデオディスプレイを含み、この場合、前記ビデオディスプレイは、映画、ビデオ、テレビ番組、ミュージックビデオ、他のビデオファイルなどを再生するように構成される。図９に９０２で示されるビデオディスプレイは、望まれるように装置上の任意の場所に位置させることができ、また任意の適した形状およびサイズとなり得る。ビデオディスプレイは、任意の望ましい解像度レベルで３次元ビデオを含む白黒画像またはカラー画像を与えることができる。
【００４６】
以上の説明では、本発明の様々な実施形態が例示および説明の目的で与えられてきた。これらの実施形態は、包括的となるように意図されておらず、あるいは開示された正にその形態に本発明を限定しようとするものではない。前述した教示内容に照らして自明な変更または変形が可能である。実施形態は、本発明の原理および本発明の実用的な用途の最良の例示を与えるために、また当業者が考えられる特定の用途に適するように本発明を様々な実施形態で且つ様々な変更を伴って利用できるようにするために選択されて記載された。そのような変更および変形の全ては、それらが適正に、合法的におよび公正に権利付与される広さにしたがって解釈されるときに、添付の特許請求の範囲により決定される本発明の範囲内に入る。
【図１】
2015510309.tif 000003
【図２】
2015510309.tif 000004
【図３】
2015510309.tif 000005
【図４】
2015510309.tif 000006
【図５】
2015510309.tif 000007
【図６ａ】
2015510309.tif 000008
【図６ｂ】
2015510309.tif 000009
【図７ａ】
2015510309.tif 000010
【図７ｂ】
2015510309.tif 000011
【図８】
2015510309.tif 000012
【図９】
2015510309.tif 000013
【国際調査報告】
2015510309.tif 000014